(57)【特許請求の範囲】
【請求項１】
女性の局部に当接されると共に尿を収納可能な袋体（３）が装着される尿取り具（４）を備え、この尿取り具（４）に袋体（３）の開口部（３ａ）を外嵌してその外側から結束部材（６）で締め付け固定するようにした尿取り器であって、
前記尿取り具（４）は、両端が開口した筒状に形成されていて、両端部に第１当接部（１３）と第２当接部（１４）とを有すると共に、第１当接部（１３）と第２当接部（１４）との間に前記袋体（３）の開口部（３ａ）が外嵌される袋取付部（１５）を有し、第１当接部（１３）と第２当接部（１４）とは先端に向かうに従って徐々に大きくなるように漏斗状に拡開形成され、その開口縁部（１３ａ，１４ａ）が局部に密接可能な楕円状に形成され、袋取付部（１５）は第１当接部（１３）と第２当接部（１４）との間にあって外周面が括れていることを特徴とする尿取り器。
【請求項２】
前記第１当接部（１３）と第２当接部（１４）とは一方が大人又は身体が大きい子供用で他方が子供又は身体が小さい大人用になるように大きさが互いに異ならされていることを特徴とする請求項１に記載の尿取り器。
【請求項３】
前記尿取り具（４）は貫通した尿流通孔（１７）を有する筒状に形成され、尿流通孔（１７）は、袋取付部（１５）の内周側が最も細くなっていて両端に向かうに従って徐々に大きくなっていることを特徴とする請求項１又は２に記載の尿取り器。
【請求項４】
前記第１当接部（１３）及び第２当接部（１４）は、その開口縁部（１３ａ，１４ａ）が楕円の長軸方向の一方が他方よりも小幅で細長く形成されていることを特徴とする請求項１〜３のいずれかに記載の尿取り器。
【請求項５】
第１当接部（１３）又は第２当接部（１４）の少なくとも一方の開口縁部（１３ａ，１４ａ）には、その長軸方向の一端部に切欠凹部（２１）が設けられていることを特徴とする請求項１〜４のいずれかに記載の尿取り器。
【請求項６】
第１当接部（１３）又は第２当接部（１４）の長軸方向の一端部に、他端部よりも尿取り具（４）の筒軸方向外方に向けて急角度で起立傾斜された急傾斜部（２５）が設けられ、第１当接部（１３）又は第２当接部（１４）の開口縁部（１３ａ，１４ａ）の急傾斜部（２５）側に、前記他端部よりも筒軸方向外方に向けて長く外方突出された外方突出部（２６）が設けられ、この外方突出部（２６）は、開口縁部（１３ａ，１４ａ）の長軸方向の前記一端部から他端部に向けて尿取り具（４）の筒軸方向内方に滑らかに傾斜されていることを特徴とする請求項１〜５のいずれかに記載の尿取り器。
【発明の詳細な説明】
【技術分野】
【０００１】
本発明は、携帯に便利でトイレに行くことなく自動車内や寝床等で排尿できるようにした尿取り器に関するものである。
【背景技術】
【０００２】
移動中や交通渋滞したときにトイレに行くことなく自動車内等で排尿でき、体調が悪いときに寝床等で排尿できるようにした尿取り器には、局部に当接されると共に尿を収納可能な袋体が装着される尿取り具を備え、この尿取り具に、その一端側が袋体から外方突出し他端側が袋体内に内方突出するように、袋体の開口部を外嵌してその外側から輪ゴム又は紐等の結束部材で締め付け固定するようにしたものがある。この尿取り器を女性が使用する場合、尿取り具の外方突出部の開口縁部を女性の局部に当接して尿取り具を通して袋体内に排尿する。
この種の従来の尿取り器には、尿取り具が筒軸方向の全長に亘ってその大きさが同一の円筒状に形成されており、袋体の開口部を尿取り具よりも上方へずらすことにより、尿取り具を袋体内へ落とすことができるようにしたものがある（例えば特許文献１）。
【先行技術文献】
【特許文献】
【０００３】
【特許文献１】特開２００６−２９６７８０号公報
【発明の概要】
【発明が解決しようとする課題】
【０００４】
しかし、従来の場合、筒状の尿取り具が筒軸方向の全長に亘って大きさが同一の円筒状であったため、使用の際や使用後に、袋体を引っ張ることにより、ゴム輪や紐等の結束部材が袋体の開口部と共に尿取り具上を移動し、袋体の開口部が尿取り具から不測に外れてしまうことがあり、このために袋体に収納した尿が開口部から漏れたりして自動車内や寝床等を汚すという問題があった。
また、尿取り具が円筒状であったため、女性が使用した場合、女性の局部に尿取り具の開口縁部の形状が適合せず、尿取り具の開口縁部を上手く密着状に当接できないため、使用の際に尿漏れが生じるという問題があった。
また、尿取り具は局部に当接する部分は１つしかないないため、例えば、尿取り具を子供に適合する大きさに形成していると、大人や身体が大きい子供に適合しなくなって使用の際に尿が漏れたり、また、尿取り具を大人に適合する大きさに形成していると、子供や身体が小さい大人に適合しなくなって使用の際に尿が漏れたりし、汎用性に劣り不便であった。
【０００５】
本発明は上記問題点に鑑み、袋体を引っ張っても袋体の開口部が尿取り具から簡単に外れて自動車内や寝床等に尿が漏れるのを防止でき、また、使用の際に女性の局部に密接状に当接できて尿漏れを防止でき、しかもより多くの女性が使用できて汎用性に富む尿取り器を提供することを目的としている。
【課題を解決するための手段】
【０００６】
本発明における課題解決のための具体的手段は、次の通りである。
この技術的課題を解決する本発明の技術的手段は、女性の局部に当接されると共に尿を収納可能な袋体３が装着される尿取り具４を備え、この尿取り具４に袋体３の開口部３ａを外嵌してその外側から結束部材６で締め付け固定するようにした尿取り器であって、
前記尿取り具４は、両端が開口した筒状に形成されていて、両端部に第１当接部１３と第２当接部１４とを有すると共に、第１当接部１３と第２当接部１４との間に前記袋体３の開口部３ａが外嵌される袋取付部１５を有し、第１当接部１３と第２当接部１４とは先端に向かうに従って徐々に大きくなるように漏斗状に拡開形成され、その開口縁部１３ａ，１４ａが局部に密接可能な楕円状に形成され、袋取付部１５は第１当接部１３と第２当接部１４との間にあって外周面が括れている点にある。
【０００７】
また、本発明の他の技術的手段は、前記第１当接部１３と第２当接部１４とは一方が大人又は身体が大きい子供用で他方が子供又は身体が小さい大人用になるように大きさが互いに異ならされている点にある。
【０００８】
また、本発明の他の技術的手段は、前記尿取り具４は貫通した尿流通孔１７を有する筒状に形成され、尿流通孔１７は、袋取付部１５の内周側が最も細くなっていて両端に向かうに従って徐々に大きくなっている点にある。
【０００９】
また、本発明の他の技術的手段は、前記第１当接部１３及び第２当接部１４は、その開口縁部１３ａ，１４ａが楕円の長軸方向の一方が他方よりも小幅で細長く形成されている点にある。
【００１０】
また、本発明の他の技術的手段は、第１当接部１３又は第２当接部１４の少なくとも一方の開口縁部１３ａ，１４ａには、その長軸方向の一端部に切欠凹部２１が設けられている点にある。
【００１１】
また、本発明の他の技術的手段は、第１当接部１３又は第２当接部１４の長軸方向の一端部に、他端部よりも尿取り具４の筒軸方向外方に向けて急角度で起立傾斜された急傾斜部２５が設けられ、第１当接部１３又は第２当接部１４の開口縁部１３ａ，１４ａの急傾斜部２５側に、前記他端部よりも筒軸方向外方に向けて長く外方突出された外方突出部２６が設けられ、この外方突出部２６は、開口縁部１３ａ，１４ａの長軸方向の前記一端部から他端部に向けて尿取り具４の筒軸方向内方に滑らかに傾斜されている点にある。
【００１２】
なお、本発明の他の技術的手段として、前記尿取り具４は、尿取り具本体２２と第１当接部１３及び第２当接部１４の先端部を構成する一対のクッションリング２３とを有し、各クッションリング２３は尿取り具本体２２よりも柔軟で弾力性に富む材料で形成されていて、尿取り具本体２２の両端にそれぞれ固着されており、第１当接部１３又は第２当接部１４がクッションリング２３を介して局部に当接されるようにしてもよい。
【発明の効果】
【００１３】
本発明によれば、尿取り具は両端部に第１当接部と第２当接部とを有し、第１当接部と第２当接部とは先端に向かうに従って徐々に大きくなるように漏斗状に拡開形成され、その開口縁部が局部に密接可能な楕円状に形成されているので、第１当接部又は第２当接部により尿取り具を女性の局部に対して密着状に当接できて、使用の際に尿漏れを防止できる。また、第１当接部と第２当接部とを大きさや形状を異ならせておくことにより、例えば大人と子供の両方の女性に対して尿取り具を密着状に当接できるようになり、１つの尿取り具を大人と子供でも兼用して使用することができて、より多くの女性が良好に使用でき汎用性に富むものとなる。
また、第１当接部と第２当接部との間に袋取付部を有し、袋取付部は第１当接部と第２当接部との間にあって外周面が括れているので、開口部を袋取付部に外嵌してゴム輪や紐等の結束部材で締め付け固定すれば、袋体を引っ張っても、結束部材が尿取り具上を移動するのを規制することができ、袋体の開口部が尿取り具から外れるのを防止でき、袋体が外れることによって袋体から尿が自動車内や寝床等に漏れるのを防ぐことができる。
【図面の簡単な説明】
【００１４】
【図１】本発明の第１実施形態を示す尿取り器の上部の側面断面図である。
【図２】同尿取り器の袋体の装着方法を変更した上部の側面断面図である。
【図３】同尿取り器の全体側面図である。
【図４】同尿取り具の斜視図である。
【図５】同尿取り具の平面図である。
【図６】同結束部材の正面図である。
【図７】同結束部材の平面図である。
【図８】第２実施形態を示す尿取り具の平面図である。
【図９】第３実施形態を示す尿取り具の側面断面図である。
【図１０】第４実施形態を示す尿取り具の側面図である。
【発明を実施するための形態】
【００１５】
以下、本発明の実施の形態を図面に基づいて説明する。
図１〜図７は本発明の第１実施形態を示している。図１〜図５において、尿取り器１は、トイレに行くことなく自動車内や寝床等で排尿できるようにしたもので、女性の局部に当接されると共に尿を収納可能な袋体３が装着される尿取り具４を備え、この尿取り具４に、袋体３の開口部３ａを外嵌してその外側から結束部材６で締め付け固定するようになっている。
ここで、結束部材６は、尿取り具４に外嵌した袋体３の開口部３ａを尿取り具４に縛り付けるもので、例えば、輪ゴム、紐、針金入りのビニール紐又は結束バンド等で構成され、結束部材６が輪ゴムの場合は、これを尿取り具４に外嵌した開口部３ａ上に１重又は２重或いは３重以上に外嵌装着し、紐の場合は、開口部３ａ上に１回又は複数回巻き付けて括り付ければよい。また、結束部材６が針金入りのビニール紐の場合は、開口部３ａ上に１回又は複数回巻き付けて端部同士を捻り合わせて締め付ければよい。
【００１６】
また、図６及び図７に示すように、布等により構成した帯状のバンド８の両端部に互いに着脱自在に接着固定される第１面ファスナー９と第２面ファスナー１０とを設けて、結束部材６を構成してもよい。この場合、図７に２点鎖線で示すように、結束部材６（バンド８）を開口部３ａ上に巻き付けてバンド８の両端部を第１面ファスナー９と第２面ファスナー１０とを介して固着すればよく、この結束部材６を使用すれば尿取り具４に袋体３の開口部３ａを簡単かつ確実に装着することができる。
図１〜図５において、尿取り具４は、紙、紙粘土、硬質又は柔軟の合成樹脂、シリコーン、ゴム等により楕円形状の筒状に一体形成されていて、両端部に第１当接部１３と第２当接部１４とを有すると共に、第１当接部１３と第２当接部１４との間に前記袋体３の開口部３ａが外嵌される袋取付部１５を有している。
【００１７】
第１当接部１３と第２当接部１４とは先端に（尿取り具４の筒軸方向外方に）向かうに従って徐々に大きくなるように漏斗状に拡開形成され、その開口縁部１３ａ，１４ａが女性の局部に密接可能な楕円形に形成されている。
第１当接部１３と第２当接部１４とは一方（第１当接部１３）が大人又は身体が大きい子供用で他方（第２当接部１４）が子供又は身体が小さい大人用になるように大きさ及び形状が互いに異ならされている。
即ち、第１当接部１３は第２当接部１４よりも大きく形成されて大人又は身体が大きい子供用とされ、第１当接部１３の開口縁部１３ａの形状は、大人の局部の大陰唇の形状に対応する楕円形状であって、その大きさは大人の局部の大陰唇の大きさよりもやや大きく形成され、第１当接部１３の開口縁部１３ａを女性の局部の大陰唇よりも外周に当接して、第１当接部１３の開口縁部１３ａ内に大陰唇が収まるようになっている。
【００１８】
また、第２当接部１４は第１当接部１３よりも小さく形成されて子供又は身体が小さい大人用とされ、第２当接部１４の開口縁部１４ａの形状は、子供の局部の大陰唇の形状に対応する楕円形状であって、その大きさは子供の局部の大陰唇の大きさよりもやや大きく形成され、第２当接部１４の開口縁部１４ａを女性の局部の大陰唇よりも外周に当接して、第２当接部１４の開口縁部１４ａ内に大陰唇が収まるようになっている。
また、第１当接部１３及び第２当接部１４は、その開口縁部１３ａ，１４ａが大陰唇の形状に対応して楕円の長軸方向の一方（前側）が他方（後側）よりも小幅で細長く形成されている。
【００１９】
袋取付部１５は第１当接部１３と第２当接部１４との間にあって、第１当接部１３及び第２当接部１４よりも細い楕円の筒状に形成され、その外周面が第１当接部１３及び第２当接部１４の外周面に対して括れている。袋取付部１５の第１当接部１３及び第２当接部１４に対する位置は、図例では、第１当接部１３及び第２当接部１４の長軸方向（前後方向）の略中心部に位置しているが、長軸方向にずれて配置するようにしてもよい。また、図例では、袋取付部１５は第１当接部１３及び第２当接部１４に対して、第１当接部１３及び第２当接部１４の短軸方向（左右方向）の略中心部に位置しているが、短軸方向にずれて配置するようにしてもよい。
【００２０】
尿取り具４は貫通した尿流通孔１７を有しており、尿流通孔１７は、袋取付部１５の内周側が最も細くなっていて、尿流通孔１７の最も細くなっている部分は直径が１．５センチメートル〜２センチメートル程度であって、指が挿入できて袋体３の開口部３ａ側を挿通できる大きさに設定され、この最も細くなっている部分 から第１当接部１３及び第２当接部１４の先端に向かうに従って徐々に大きくなるように拡開されている。
袋体３は、例えばスーパー等で提供されているビニール袋により構成され、袋体３内に吸水部材１９が収納されている。
【００２１】
前記第１実施形態によれば、尿取り具４に袋体３を装着するには、図１及び図３に示すように、尿取り具４に、その一端側が袋体３から外方突出し他端側が袋体３内に内方突出するように、袋体３の開口部３ａを外嵌してその外側から結束部材６で締め付け固定することにより、尿取り具４に袋体３を装着する。又は、図２に示すように、袋体３の開口部３ａ側を尿取り具４の尿流通孔１７に挿通した後に、その挿通端部を内外逆になるように折り返して開口部３ａ側を尿取り具４の袋取付部１５に外嵌し、その外側から結束部材６で締め付け固定することにより、尿取り具４に袋体３を装着する。
【００２２】
次に、自動車内や寝床等で女性が排尿する場合、例えば、外方突出している第１当接部１３又は第２当接部１４の楕円の長軸方向の一方（小幅で細長く形成されている部分）を前側に向けた状態で、その開口縁部１３ａ，１４ａを女性の局部に当接する。この場合、第１当接部１３又は第２当接部１４の開口縁部１３ａ，１４ａを女性の局部の大陰唇よりも外周部に当接して、第１当接部１３又は第２当接部１４の開口縁部１３ａ，１４ａ内に大陰唇が収まるようにする。
この状態で排尿すると、排尿された尿は尿流通孔１７を通って、外側の第１当接部１３内又は第２当接部１４内から袋取付部１５内を経て内側の第２当接部１４内又は第１当接部１３内へと流れ、袋体３内にスムーズに流入し、尿が袋体３内に収容されて吸水部材１９に吸入される。
【００２３】
そして、女性の大人や身体が大きい子供が排尿する場合には、図１又は図２に示すように、第１当接部１３が外側に位置するように尿取り具４に袋体３の開口部３ａを装着し、第１当接部１３を局部に当接して排尿すればよく、第１当接部１３の大きさ及び形状が大人等の局部にぴったり適合し、尿漏れが生じるのを防止して袋体３内に尿をスムーズに排出することができる。また、女性の子供や身体が小さい大人が排尿する場合には、袋体３に対して尿取り具４の向きを内外逆にして、第２当接部１４が外側に位置するように尿取り具４に袋体３の開口部３ａを装着し、第２当接部１４を局部に当接して排尿すればよく、第１当接部１３の大きさ及び形状が子供等の局部にぴったり適合し、尿漏れが生じるのを防止して袋体３内に尿をスムーズに排出することができる。
【００２４】
従って、尿取り具４は両端部に第１当接部１３と第２当接部１４とを有しているので、第１当接部１３と第２当接部１４とを大きさや形状を異ならせておくことにより、大人と子供の両方の女性に対して尿取り具４を密着状に当接できて、使用の際に尿漏れを防止でき、大人と子供でも兼用して使用することができ、より多くの女性が良好に使用できて汎用性に富むものとなる。
【００２５】
また、袋取付部１５は第１当接部１３と第２当接部１４との間にあって外周面が括れているので、尿取り具４に袋体３を装着した後は、袋体３を引っ張っても、ゴム輪や紐等の結束部材６が尿取り具４上を移動するのを規制することができ、袋体３の開口部３ａが尿取り具４から簡単に外れることがなくなり、自動車内や寝床等に尿が漏れるのを防止できる。
【００２６】
また、図１に示すように尿取り具４に袋体３を装着した場合には、開口部３ａから袋体３内に内方突出した第２当接部１４又は第１当接部１３によって袋体３の開口側を広げることができ、排尿の際に尿が袋体３の開口部３ａ側の内面に付着するのを防止できる。このため、使用済みの袋体３を尿取り具４から外したり廃棄したりするときに、尿が手等に付着するのを防止でき、衛生的である。
また、図１に示すように尿取り具４に袋体３を装着した場合には、袋体３内に内方突出した第２当接部１４又は第１当接部１３で袋体３の開口部３ａ側を押し広げた状態になり、使用の際に、袋体３の開口部３ａ側の装着部分に尿が浸入し難くなり、この点からも袋体３の開口部３ａから尿漏れが生じ難くなる。
【００２７】
また、図２に示すように尿取り具４に袋体３を装着した場合には、尿取り具４の内周及び外周の大部分が袋体３の開口部３ａ側で覆われるため、排尿の際に尿取り具４に尿が付着し難くなり、尿取り具４を水で洗ったりすることなく繰り返し使用することができ、便利である。
【００２８】
また、尿取り具４は貫通した尿流通孔１７を有する楕円形の筒状に形成され、尿流通孔１７は、袋取付部１５の内周側が最も細くなっていて両端に向かうに従って徐々に大きくなっているので、排尿された尿を大きな尿流通孔１７で集めて袋体３にスムーズに流入させて収納することができるし、袋体３内に入った尿が逆流して尿取り具４から流出するのを尿流通孔１７の狭くなった袋取付部１５に対応する部分で防ぐことができ、この点からも排尿の際等に尿漏れを防止することができる。
しかも、スーパー等で提供されているビニール袋をそのまま排尿用の袋体３として使い捨てで使用することができ、非常に経済的でかつ便利である。
【００２９】
図８は第２実施形態を示し、前記第１実施形態の場合よりも、尿取り具４全体が小型に形成されており、第１当接部１３は第２当接部１４よりも大きく形成されて大人又は身体が大きな子供用とされ、第１当接部１３の開口縁部１３ａの形状は、大人の局部の小陰唇の形状に対応する楕円形状であって、その大きさは大人の局部の小陰唇の大きさよりもやや大きく形成され、第１当接部１３の開口縁部１３ａを女性の局部の大陰唇と小陰唇との間に当接して、第１当接部１３の開口縁部１３ａ内に小陰唇が収まるようになっている。
【００３０】
また、第２当接部１４は第１当接部１３よりも小さく形成されて子供又は身体が小さな大人用とされ、第２当接部１４の開口縁部１４ａの形状は、子供の局部の小陰唇の形状に対応する楕円形状であって、その大きさは子供の局部の小陰唇の大きさよりもやや大きく形成され、第２当接部１４の開口縁部１４ａを女性の子供の局部の大陰唇と小陰唇との間に当接して、第２当接部１４の開口縁部１４ａ内に小陰唇が収まるようになっている。
また、第１当接部１３及び第２当接部１４の開口縁部１４ａには、その長軸方向の一端部に切欠凹部２１が設けられており、第１当接部１３又は第２当接部１４を局部に当接した際に、切欠凹部２１が陰核亀頭に嵌合して切欠凹部２１によって陰核亀頭を避けることができるようになっている。その他の点は前記第１実施形態の場合と同様の構成である。
【００３１】
前記第２実施形態によれば、尿取り具４が小型になり、それだけ構成材料が少なくて済み、安価に製造できるし、携帯に便利になる。しかも、切欠凹部２１によって陰核亀頭を避けることができるため、第１当接部１３及び第２当接部１４を陰核亀頭が邪魔になることもなく、局部に密着状に当接することができ、尿漏れを防止することができる。また、尿取り具４を局部に当接する際に、切欠凹部２１によって尿取り具４の前後を簡単に認識することができるようになる。
【００３２】
なお、前記第２実施形態の場合、第１当接部１３及び第２当接部１４のいずれか一方にだけ切欠凹部２１を設けるようにしてもよいし、第１当接部１３及び第２当接部１４の両方に切欠凹部２１を設けるようにしてもよい。また、切欠凹部２１を設けなかった第１当接部１３又は第２当接部１４については、前記第１実施形態の場合と同様に大きく形成するようにしてもよい。
【００３３】
図９は第３実施形態を示し、尿取り具４は、尿取り具本体２２と第１当接部１３及び第２当接部１４の先端部（開口縁部１３ａ，１４ａ）を構成する一対のクッションリング２３とを有し、各クッションリング２３は尿取り具本体２２よりも柔軟で弾力性に富む材料で形成されていて、尿取り具本体２２の両端にそれぞれ接着剤等で固着されており、第１当接部１３又は第２当接部１４がクッションリング２３を介して局部に当接されるようになっている。
而して、尿取り具本体２２は合成樹脂等で一体に形成され、クッションリング２３は柔軟で弾力性に富むシリコーンゴム、エラストマー又はゴム等により尿取り具本体２２とは別体に形成されている。
従って、第３実施形態では、クッションリング２３の柔軟性及び弾力性を利用して、尿取り具４を局部にソフトでより密着して当接することが可能になり、排尿する際に尿漏れが生じるのをより確実に防止できる。
【００３４】
なお、第３実施形態の場合、尿取り具４を第１実施形態の場合と同様の大きさに形成してもよいし、第２実施形態の場合と同様に尿取り具４を小型に形成してもよく、小型に形成した場合には、切欠凹部２１を設け、切欠凹部２１で陰核亀頭を避けるようにしてもよいし、切欠凹部２１を設けずにクッションリング２３の柔軟性又は弾力性によって陰核亀頭を避けるようにしてもよい。
なお、第３実施形態の構成に代えて、第３実施形態のクッションリング２３と同様の柔軟で弾力性に富むシリコーンゴム又はエラストマー等のクッション材により尿取り具４全体を一体に形成するようにしてもよい。
【００３５】
図１０は第４実施形態を示し、第１当接部１３又は第２当接部１４の長軸方向の一端部に、他端部よりも尿取り具４の筒軸方向外方に向けて急角度で起立傾斜された急傾斜部２５が設けられ、第１当接部１３又は第２当接部１４の開口縁部１３ａ，１４ａの急傾斜部２５（一端部）側に、前記他端部よりも長さＬだけ筒軸方向に長く外方突出された外方突出部２６が設けられている。
外方突出部２６は開口縁部１３ａ，１４ａの長軸方向の前記一端部から他端部に向けて尿取り具４の筒軸方向内方に滑らかに下降傾斜されている。この下降傾斜する範囲Ｘは、前記一端部から他端部に向けて開口縁部１３ａ，１４ａの長軸方向全長の２／３程度の範囲に亘っている。その他の点は、前記第１実施形態又は第２実施形態の場合と同様の構成である。
【００３６】
前記第４実施形態によれば、女性が寝たままで排尿する際に、真っ直ぐ膝を立てて仰向けに寝た状態では、尿取り具４をその急傾斜部２５及び外方突出部２６を前側に向けて女性の局部に当接することにより、尿取り具４の第１当接部１３又は第２当接部１４の開口縁部１３ａ，１４ａをきっちりと密着して当接することができて、寝たままで尿が漏れるおそれなく袋体３内に尿を排出することが可能になる。また、女性が横向きに寝た状態では、尿取り具４をその急傾斜部２５及び外方突出部２６を後側に向けて女性の局部に当接することにより、尿取り具４の第１当接部１３又は第２当接部１４の開口縁部１３ａ，１４ａをきっちりと密着して当接することができて、寝たままで尿が漏れるおそれなく袋体３内に尿を排出することが可能になる。従って、尿取り器１を寝た状態でも良好に使用できるようになり、介護用等にも使用でき、便利である。
なお、前記第４実施形態の場合、急傾斜部２５及び外方突出部２６を第１当接部１３及び第２当接部１４の両方に設けるようにしてもよいし、第１当接部１３又は第２当接部１４の一方のみに設けるようにしてもよい。
【００３７】
なお、前記実施形態では、尿取り具４の第１当接部１３及び第２当接部１４は、その開口縁部１３ａ，１４ａが楕円の長軸方向の一方が他方よりも小幅で細長く形成されているが、第１当接部１３の小幅で細長く形成した側と、第２当接部１４の小幅で細長く形成した側とが、同一方向を向くように第１当接部１３と第２当接部１４とを配置してもよいし、互いに逆方向を向くように第１当接部１３と第２当接部１４とを配置してもよい。さらに、第１当接部１３の楕円の長軸方向と第２当接部１４の楕円の長軸方向が同一向きではなくて、直角に交差する方向であったり、直角以外の所定角度で交差する方向であったりするように、第１当接部１３と第２当接部１４とを互いに筒軸廻りに捻れた状態に配置してもよい。
【００３８】
また、前記実施形態では、自動車内や寝床等で女性が排尿する場合に、第１当接部１３及び第２当接部１４の長軸方向の小幅で細長く形成した側を前に向けて局部に当接しているが、これは使用の一例を示したものであり、前後逆向きにして局部に当接して使用するようにしてもよいし、また、使用する女性が腰が上がっている状態か、俯いている状態か、仰向けの状態かの姿勢その他によって、第１当接部１３又は第２当接部１４の長軸方向の局部に対する傾斜角度を調整して当接するようにしてもよい。
【００３９】
また、前記実施形態では、自動車内や寝床等で女性が排尿する場合について説明したが、本発明の尿取り器１は自動車内や寝床等で男性が排尿する場合にも使用することが可能である。そして、尿取り器１を主として男性が使用するものとする場合には、第１当接部１３及び第２当接部１４の形状を図例のものよりも長い筒状に形成する等、第１当接部１３及び第２当接部１４の形状を変更してもよい。また、第１当接部１３又は第２当接部１４の一方又は両方の形状を、図例のものよりも丸くして円筒形に近づけるようにしてもよく、このようにすると、袋取付部１５を括れさせておけば、病床の男性の介護にも使用することができるようになる。この場合、第１当接部１３又は第２当接部１４の一方のみを丸くして円筒形に近づけておけば、第１当接部１３又は第２当接部１４の一方を男性用とし、他方を女性用とすることも可能になる。
【００４０】
また、前記第２実施形態の場合、第１当接部１３及び第２当接部１４の開口縁部１３ａ，１４ａの長軸方向の一端部に切欠凹部２１が設けられているが、第１当接部１３及び第２当接部１４の開口縁部１３ａ，１４ａに設ける切欠凹部２１の配設位置は、互いに同一方向を向いてもよいし、互いに逆方向を向いていてもよく、さらに互いに異なる方向を向いていてもよい。
【００４１】
また、前記実施形態では、尿取り具４は楕円形状の筒状に形成されていて、第１当接部１３、第２当接部１４のみならず、袋取付部１５も楕円形状の筒状に形成されているが、これに代え、袋取付部１５を楕円形状以外の円筒状、角筒状その他の筒状に形成するようにしてもよい。
【００４２】
また、前記実施形態では、第１当接部１３と第２当接部１４とは一方が大人用で他方が子供用になるように大きさ及び形状が互いに異ならされているが、これに代え、第１当接部１３と第２当接部１４とを大きさのみを互いに異ならせるようにしてもよいし、形状のみを互いに異ならせようにしてもよい。また、第１当接部１３又は第２当接部１４の一方を身体が大きな大人用とし、他方を身体が小さな大人用としてもよいし、第１当接部１３又は第２当接部１４の一方を身体が大きな子供用とし、他方を身体が小さな子供用としてもよい。
また、前記実施形態では、袋体３内に吸水部材１９が収納されているが、吸水部材１９を省略するようにしてもよいことは勿論である。
【符号の説明】
【００４３】
１      尿取り器
３      袋体
３ａ    開口部
４      尿取り具
６      結束部材
１３    第１当接部
１３ａ  開口縁部
１４    第２当接部
１４ａ  開口縁部
１５    袋取付部
１７    尿流通孔
２１    切欠凹部
２２    尿取り具本体
２３    クッションリング
２５    急傾斜部
２６    外方突出部  
【要約】
【課題】  袋体の開口部が尿取り具から簡単に外れて尿が漏れるのを防止でき、使用の際に女性の局部に密接状に当接できて尿漏れを防止でき、しかもより多く女性が使用できて汎用性に富む尿取り器を提供する。
【解決手段】  袋体３が装着される尿取り具４を備え、この尿取り具４に袋体３の開口部３ａを外嵌して結束部材６で締め付け固定するようにした尿取り器であって、尿取り具４は、第１当接部１３と第２当接部１４とを有すると共に、第１当接部１３と第２当接部１４との間に袋取付部１５を有し、第１当接部１３と第２当接部１４とは先端に向かうに従って徐々に大きくなるように漏斗状に拡開形成され、その開口縁部１３ａ，１４ａが局部に密接可能な楕円状に形成され、袋取付部１５は外周面が括れている。
【選択図】図１【図１】
0006041405.tif 000002
【図２】
0006041405.tif 000003
【図３】
0006041405.tif 000004
【図４】
0006041405.tif 000005
【図５】
0006041405.tif 000006
【図６】
0006041405.tif 000007
【図７】
0006041405.tif 000008
【図８】
0006041405.tif 000009
【図９】
0006041405.tif 000010
【図１０】
0006041405.tif 000011